(57)【要約】【課題】香りを空気中へすみやかに拡散することができる香り発生器を提供する。【解決手段】風が通過する通気部１を有するケーシング２を具備する。ケーシング２を扇風機のカバーに着脱自在に取着する取着部６を具備する。ケーシング２に収納する香り発生剤８を具備する。取着部６が、扇風機の鋼鉄材製カバーに吸着するマグネット７を有する。【選択図】図２
0003139253.tif 000002
【実用新案登録請求の範囲】
【請求項１】
風が通過する通気部（１）を有するケーシング（２）と、該ケーシング（２）を扇風機（Ｓ）のカバー（Ｃ）に着脱自在に取着する取着部（６）と、上記ケーシング（２）に収納する香り発生剤（８）と、を具備したことを特徴とする扇風機用香り発生器。
【請求項２】
取着部（６）が、扇風機（Ｓ）の鋼鉄材製カバー（Ｃ1 ）に吸着するマグネット（７）を有する請求項１記載の扇風機用香り発生器。
【請求項３】
取着部（６）が、扇風機（Ｓ）のプラスチック製カバー（Ｃ2 ）に係止するための雄状又は雌状係止部材（12）を有する請求項１又は２記載の扇風機用香り発生器。
【請求項４】
香り発生剤（８）を、アロマの香りを発生する液状剤又は固体剤とした請求項１，２又は３記載の扇風機用香り発生器。
【請求項５】
香り発生剤（８）を、虫が嫌う香りを発生する液状剤又は固体剤とした請求項１，２又は３記載の扇風機用香り発生器。
【考案の詳細な説明】
【技術分野】
【０００１】
本考案は、扇風機用香り発生器に関する。
【背景技術】
【０００２】
従来の香り発生器としては、芳香オイルを電気的に加熱して気化させ、香りを放出するものがある。（例えば、特許文献１参照）。
【０００３】
しかし、香りが空気中へ拡散する速度が遅いという欠点があった。
【特許文献１】特開２００４−７３７９５号公報
【考案の開示】
【考案が解決しようとする課題】
【０００４】
解決しようとする課題は、香りが空気中へ拡散する速度が遅い点である。
【課題を解決するための手段】
【０００５】
そこで、本考案に係る扇風機用香り発生器は、風が通過する通気部を有するケーシングと、該ケーシングを扇風機のカバーに着脱自在に取着する取着部と、上記ケーシングに収納する香り発生剤と、を具備したものである。
【０００６】
また、取着部が、扇風機の鋼鉄材製カバーに吸着するマグネットを有するものである。  また、取着部が、扇風機のプラスチック製カバーに係止するための雄状又は雌状係止部材を有するものである。
【０００７】
また、香り発生剤を、アロマの香りを発生する液状剤又は固体剤としたものである。
また、香り発生剤を、虫が嫌う香りを発生する液状剤又は固体剤としたものである。
【考案の効果】
【０００８】
本考案の扇風機用香り発生器によれば、香りを空気中へすみやかに拡散することができる。
【考案を実施するための最良の形態】
【０００９】
図１は、本考案の第１の実施の形態の使用状態を示す。この香り発生器Ｆは、扇風機ＳのカバーＣ（鋼鉄材製カバーＣ1 ）に取着して使用する。扇風機Ｓが作動すると、香り発生器Ｆから香りが扇風機Ｓから送られる風とともに空気中へすみやかに拡散する。全体形状が、風車小屋を模した意匠形状とされている。
【００１０】
具体的には、図２〜図４に示すように、風が通過する通気部１を有するプラスチック製ケーシング２を具備する。ケーシング２が、収納部10を形成するとともに開口部３を有する薄肉殻状ケーシング本体４と、開口部３を着脱自在に覆う蓋５を有する。
【００１１】
ケーシング２を扇風機Ｓ（図１参照）のカバーＣに着脱自在に取着する取着部６を具備する。取着部６が、扇風機Ｓの鋼鉄材製カバーＣ1 に吸着するマグネット７を有する。
【００１２】
ケーシング２に収納する香り発生剤８を具備する。香り発生剤８が、アロマ（芳香。例えば、ラベンダーの香り、オレンジの香り、ユーカリの香り等。）を発生する液状剤から成る。特にアロマオイルすなわち天然精油が好ましい。例えば、香り発生剤８を不織布９に染込まして、収納部10に収納する。
【００１３】
なお、風車小屋の羽部材11が、回転自在に構成されている。すなわち、羽部材11が、扇風機Ｓ（図１参照）からの風によって回転自在にケーシング本体４に枢結されている。
【００１４】
図５は、第２の実施の形態を示す。取着部６が、扇風機Ｓ（図１参照）のプラスチック製カバーＣ（Ｃ2 ）（図６参照）に係止するための係止部材12を有する。具体的には、係止部材12は、雌状係止部材12ａから成る。その他の構成は、第１の実施の形態と同様である。なお、係止部材12を鋼鉄材製カバーＣ1 に係止して用いることもできる。
【００１５】
図６は、第３の実施の形態を示す。取着部６が、ケーシング２（図１，図２〜図５参照）と一体状の第１取着部６Ａと、第１取着部６Ａに吸着分離自在な第２取着部６Ｂから成る。第１取着部６Ａが、扇風機Ｓの鋼鉄材製カバーＣ1 に吸着するマグネット７を有する。第２取着部６Ｂが、第１取着部６Ａのマグネット７と（Ｎ極とＳ極とが対向して）吸着分離自在なマグネット13と、扇風機Ｓのプラスチック製カバーＣ（Ｃ2 ）に係止するための雌状係止部材12ａを有する。その他の構成は、第１の実施の形態と同様である。雌状係止部材12ａにてカバーＣの一部分（線材等）を挟持状に係止することにより、プラスチック製カバーＣ2 に取着することができる。また、第２取着部６Ｂを用いずに、第１取着部６Ａのマグネット７を鋼鉄材製カバーＣ1 に吸着して用いることもできる。
【００１６】
図７は、第４の実施の形態を示す。取着部６が、扇風機Ｓ（図１参照）のプラスチック製カバーＣ（Ｃ2 ）に係止するための雄状係止部材12ｂを有する。雄状係止部材12ｂを、例えばカバーＣの隣り合う２本の略平行な線材の間（内側）に差込状に係止することによりカバーＣに取着する。その他の構成は、第３の実施の形態と同様である。
【００１７】
図８は、第５の実施の形態を示す。香り発生剤８が、アロマの香りを発生する固体剤から成る。そして、図示省略するが、香り発生剤８を収納部10（図２・図４参照）に収納する。その他の構成は、第１の実施の形態と同様である。
【００１８】
本考案は、設計変更可能であって、例えば、香り発生剤８が、虫が嫌う香り（例えば蚊に対しては除虫菊の香り）を発生する液状剤又は固体剤から成るも良い。また、ゴキブリが嫌う香り、あるいは、ハエが嫌う香りとしても良い。また、ケーシング２が、紙製、木製、金属製等であっても良い。また、全体形状が、かざぐるまを有する形状、風鈴を模した形状等であっても良い。
【００１９】
以上のように、本考案は、風が通過する通気部１を有するケーシング２と、ケーシング２を扇風機ＳのカバーＣに着脱自在に取着する取着部６と、ケーシング２に収納する香り発生剤８と、を具備したので、香りを扇風機Ｓから送られる風とともに空気中へすみやかに拡散することができる。
【００２０】
また、取着部６が、扇風機Ｓの鋼鉄材製カバーＣ1 に吸着するマグネット７を有するので、鋼鉄材製カバーＣ1 の任意の位置に吸着させることができる。
【００２１】
また、取着部６が、扇風機Ｓのプラスチック製カバーＣ2 に係止するための雄状又は雌状係止部材12を有するので、カバーＣが非磁性材から成る場合にも、取着することができる。
【００２２】
また、香り発生剤８を、アロマの香りを発生する液状剤又は固体剤としたので、（部屋全体にすみやかに香りが行き渡り、）疲れた心を癒すリラックス効果や、心を元気づけるリフレッシュ効果を、十分に得ることができる。
【００２３】
また、香り発生剤８を、虫やゴキブリやハエ等が嫌う香りを発生する液状剤又は固体剤としたので、（広範囲の空間にわたってすみやかに香りが行き渡り）虫を追払うことができる（すなわち虫を寄せつけない）。
【図面の簡単な説明】
【００２４】
【図１】第１の実施の形態の使用状態を示す正面図である。
【図２】側面図である。
【図３】背面図である。
【図４】蓋を取外した状態を示す背面図である。
【図５】第２の実施の形態を示す側面図である。
【図６】第３の実施の形態の要部を示す側面図である。
【図７】第４の実施の形態の要部を示す側面図である。
【図８】第５の実施の形態を示す説明図である。
【符号の説明】
【００２５】
１  通気部
２  ケーシング
６  取着部
７  マグネット
８  香り発生剤
12  係止部材
Ｃ  カバー
Ｃ1 鋼鉄材製カバー
Ｃ2 プラスチック製カバー
Ｓ  扇風機
【図１】
0003139253.tif 000003
【図２】
0003139253.tif 000004
【図３】
0003139253.tif 000005
【図４】
0003139253.tif 000006
【図５】
0003139253.tif 000007
【図６】
0003139253.tif 000008
【図７】
0003139253.tif 000009
【図８】
0003139253.tif 000010